(57)【要約】【課題】複数のウェブ・ページからなるウェブ・コンテンツを再構成するための方法を提供する。【解決手段】本方法は、ウェブ・ページの履歴を備えるログ・ファイルを生成するステップを含む。ウェブ・ページの履歴は、複数のウェブ・ページからユーザによって選択されたことのあるすべてのウェブ・ページを備える。ウェブ・ページの履歴を使用することによって、選択された各ウェブ・ページについてのアクセス頻度が判断される。最大アクセス頻度でユーザにアクセスされたことのあるウェブ・ページを備えるウェブ・ページのサブセットが決定される。複数のウェブ・ページは、一般的にはツリー構造に配列される。ツリー構造は、ウェブ開始ページをルートとする。ウェブ・ページのサブセットに備えられるウェブ・ページは、ウェブ開始ページへ直接リンクされるポートレットにリンクされる。【選択図】図１
2009521027.tif 000002
【特許請求の範囲】
【請求項１】
ウェブ・コンテンツ（１０４）を再構築する方法であって、前記ウェブ・コンテンツ（１０４）は複数のウェブ・ページ（１３０，…，１５０）からなり、前記方法は、
ログ・ファイル（１２２）を生成するステップであって、前記ログ・ファイル（１２２）はウェブ・ページの履歴（１２４）を備え、前記ウェブ・ページの履歴（１２４）は前記複数のウェブ・ページ（１３０，…，１５０）からユーザによって選択されたことのあるすべてのウェブ・ページ（１３０，…，１４４）を備えるステップと、
前記ユーザによって選択された各ウェブ・ページ（１３０，…，１４４）に対するアクセス頻度（１５６）を判断するステップであって、前記アクセス頻度（１５６）はウェブ・ページの履歴（１２４）を使用することによって判断されるステップと、
ウェブ・ページのサブセット（１６２）を決定するステップであって、ウェブ・ページの前記サブセット（１６２）はウェブ・ページの最大数（１５８）を含み、前記ウェブ・ページの最大数（１５８）は予め規定されており、ウェブ・ページの前記サブセット（１６２）は前記最大アクセス頻度（１５６）を有する前記ウェブ・ページを含むステップと、を含む、方法。
【請求項２】
前記複数のウェブ・ページ（１３０，…，１５０）はツリー構造に配列され、前記ツリー構造はウェブ開始ページ（１３０）をルートとし、ウェブ・ページの前記サブセット（１６２）は前記ユーザによってポートレット（１６４）からアクセス可能であり、前記ポートレット（１６４）は前記ウェブ開始ページ（１３０）へリンクされている、請求項１に記載の方法。
【請求項３】
前記複数のウェブ・ページ（１３０，…，１５０）はツリー構造に配列され、前記ツリー構造はウェブ開始ページ（１３０）をルートとし、ユーザ固有の特別ウェブ・ページが前記ウェブ開始ページ（１３０）へリンクされており、ウェブ・ページの前記サブセット（１６２）は前記ユーザが前記ユーザ固有の特別ウェブ・ページにアクセスする時点で決定され、ウェブ・ページの前記サブセット（１６２）内の各ウェブ・ページには一時ラベルが割り当てられ、各一時ラベルは前記ユーザ固有の特別ウェブ・ページへリンクされ、前記ユーザは対応する一時ラベルを介してウェブ・ページの前記サブセット（１６２）にアクセスすることができる、請求項１に記載の方法。
【請求項４】
前記複数のウェブ・ページ（１３０，…，１５０）はツリー構造に配列され、前記ツリー構造はウェブ開始ページ（１３０）をルートとし、変換物がウェブ開始ページ（１３０）に添付され、ウェブ・ページの前記サブセット（１６２）は前記ユーザが前記ウェブ開始ページ（１３０）にアクセスする時点で決定され、ウェブ・ページの動的なサブモデルが前記変換物によって決定され、それによって、ウェブ・ページの前記サブセット（１６２）は、前記ユーザにとって前記ウェブ開始ページ（１３０）からアクセス可能である、請求項１に記載の方法。
【請求項５】
前記複数のウェブ・ページ（１３０，…，１５０）はポータル内に含まれる、請求項１から４のいずれか１項に記載の方法。
【請求項６】
前記ポータルはログ作成要素と、構文解析要素と、視覚化要素とを備え、前記ログ作成要素は前記ログ・ファイルの生成のために使用され、前記構文解析要素はウェブ・ページの前記サブセットの選択のために使用され、前記視覚化要素は前記ポータル内のページの前記サブセットの視覚化のために使用される、請求項５に記載の方法。
【請求項７】
前記ログ作成要素はチボリ（Ｔｉｖｏｌｉ）（ＩＢＭ社の登録商標）のサイト分析ツールであり、前記ログ・ファイルはＮＳＣＡを組み合わせたアクセス・ログ・ファイルである、請求項６に記載の方法。
【請求項８】
あるウェブ・ページの前記アクセス頻度は、前記ユーザが前記ウェブ・ページにアクセスする回数、または前記ユーザが前記ウェブ・ページにおいて費やす時間量によって計測される、請求項１から７のいずれか１項に記載の方法。
【請求項９】
ウェブ・ページについて前記アクセス頻度が判断されるのは、前記ユーザによって前記ウェブ・ページから他のウェブ・ページにアクセスされていない場合だけである、請求項１から８のいずれか１項に記載の方法。
【請求項１０】
請求項１乃至９のいずれか１項に記載の方法の各ステップをコンピュータに実行させるためのコンピュータ・プログラム。
【請求項１１】
ウェブ・コンテンツ（１０４）を再構築するためのデータ処理システムであって、前記ウェブ・コンテンツ（１０４）は複数のウェブ・ページ（１３０，…，１５０）からなり、前記データ処理システムは、
ログ・ファイル（１２２）を生成するための手段であって、前記ログ・ファイル（１２２）はウェブ・ページの履歴（１２４）を備え、前記ウェブ・ページの履歴（１２４）は前記複数のウェブ・ページ（１３０，…，１５０）からユーザによって選択されたことのあるすべてのウェブ・ページ（１３０，…，１４４）を備える手段と、
前記ユーザによって選択された各ウェブ・ページ（１３０，…，１４４）に対するアクセス頻度（１５６）を判断するための手段であって、前記アクセス頻度（１５６）はウェブ・ページの履歴（１２４）を使用することによって判断される手段と、
ウェブ・ページのサブセット（１６２）を決定するための手段であって、ウェブ・ページの前記サブセット（１６２）はウェブ・ページの最大数（１５８）を含み、前記ウェブ・ページの最大数（１５８）は予め規定されており、ウェブ・ページの前記サブセット（１６２）は前記最大アクセス頻度（１５６）を有する前記ウェブ・ページを含む手段と、
を備える、データ処理システム。
【請求項１２】
前記複数のウェブ・ページはツリー構造に配列され、前記ツリー構造はウェブ開始ページをルートとし、前記データ処理システムは前記ユーザがウェブ・ページの前記サブセットをポートレットからアクセスする手段を提供し、前記ポートレットは前記ウェブ開始ページへリンクされている、請求項１１に記載のデータ処理システム。
【請求項１３】
前記複数のウェブ・ページはツリー構造に配列され、前記ツリー構造はウェブ開始ページをルートとし、ユーザ固有の特別ウェブ・ページが前記ウェブ開始ページへリンクされており、前記データ処理システムは、ウェブ・ページの前記サブセットを前記ユーザが前記ユーザ固有の特別ウェブ・ページにアクセスする時点で決定するための手段を提供し、前記データ処理方法は、一時ラベルをウェブ・ページの前記サブセット内の各ウェブ・ページに割り当てるための手段を備え、各一時ラベルは前記ユーザ固有の特別ウェブ・ページへリンクされ、前記ユーザは対応する一時ラベルを介して、ウェブ・ページの前記サブセットにアクセス可能である、請求項１１に記載のデータ処理システム。
【請求項１４】
前記複数のウェブ・ページ（１３０，…，１５０）はツリー構造に配列され、前記ツリー構造はウェブ開始ページ（１３０）をルートとし、前記データ処理システムは変換物を前記ウェブ開始ページ（１３０）に添付する手段と、ウェブ・ページの前記サブセット（１６２）を前記ユーザが前記ウェブ開始ページ（１３０）にアクセスする時点で決定する手段と、ウェブ・ページの動的なサブモデルを前記変換物によって決定する手段とを備え、それによって、ウェブ・ページの前記サブセット（１６２）は前記ユーザにより前記ウェブ開始ページ（１３０）からアクセス可能である、請求項１１に記載のデータ処理システム。
【請求項１５】
前記複数のウェブ・ページはポータル内に含まれる、請求項１１から１４のいずれか１項に記載のデータ処理システム。
【請求項１６】
前記ポータルはログ作成要素と、構文解析要素と、視覚化要素とを備え、前記ログ作成要素は前記ログ・ファイルの生成のために使用され、前記構文解析要素はウェブ・ページの前記サブセットの選択のために使用され、前記視覚化要素は前記ポータル内のページの前記サブセットの視覚化のために使用される、請求項１５に記載のデータ処理システム。
【請求項１７】
前記ログ作成要素はチボリのサイト分析ツールであり、前記ログ・ファイルはＮＳＣＡを組み合わせたアクセス・ログ・ファイルである、請求項１６に記載のデータ処理システム。
【請求項１８】
あるウェブ・ページの前記アクセス頻度は、前記ユーザが前記ウェブ・ページにアクセスする回数または前記ユーザが前記ウェブ・ページにおいて費やす時間量によって計測される、請求項１１から１７のいずれか１項に記載のデータ処理システム。
【請求項１９】
ウェブ・ページについて前記アクセス頻度が判断されるのは、前記ユーザによって前記ウェブ・ページから他のウェブ・ページにアクセスされていない場合だけである、請求項１１から１８のいずれか１項に記載のデータ処理システム。
【発明の詳細な説明】
【技術分野】
【０００１】
本発明は、一般的には、ウェブ・コンテンツを再構成するための方法およびデータ処理システムに関し、特に、ウェブ・コンテンツの利便性を高めるためにウェブ・コンテンツを再構成するための方法およびデータ処理システムに関する。
【背景技術】
【０００２】
ウェブ・コンテンツは、一般的に、複数のウェブ・ページからなる。ここで、ウェブ・コンテンツという用語は、ワールド・ワイド・ウェブのコンテンツを一般的に指すと共に、企業のイントラネットのコンテンツまたはポータルのコンテンツをも指す。この場合、ポータルという用語は、ウェブ・ブラウザを使用することによってアクセス可能な任意の種類のウェブ・ページを指す。ウェブ・コンテンツを構成する複数のウェブ・ページは、一般的にはウェブ開始ページをルートとするツリー構造に一般的には配列される。
【発明の開示】
【発明が解決しようとする課題】
【０００３】
典型的なのは、ユーザが自身の会社のイントラネットまたは対応するウェブ開始ページにおけるポータルにアクセスする場合である。好みのウェブ・ページのうちの１つにアクセスするためには、ユーザは、ウェブ開始ページから好みのウェブ・ページのうちの１つに到達するのに、数多くの他のウェブ・ページをクリックしていかなければならないこともある。例えば、ユーザが企業のサブユニットの管理を担当している場合、好みのウェブ・ページのうちの１つは、当該サブユニットの管理が可能なウェブ・ページである場合もある。このウェブ・ページの場所は、このウェブ・ページに到達するためにユーザが数多くの他のウェブ・ページをクリックしていかなくてはならないようなツリー構造内であることもある。イントラネットまたはポータルの静的な構成は、ユーザの行動を認識せず、ユーザが将来ツリー構造を辿っていかなければならない道筋を短くするためにウェブ・ページを再構成することはない。ユーザが好みのウェブ・ページに到達するまで数多くの他のウェブ・ページをクリックしていかなければならない理由としては、当該ウェブ・ページを使用するのがそのユーザだけであるため、管理者が、このウェブ・ページをツリー構造内のウェブ開始ページから離れた位置に置くように決めてしまったというようなことがあるからであろう。
【０００４】
システム管理者は、複数のウェブ・ページの配置の「完璧な配列」を達成することができない。システム管理者は、すべてのユーザの必要性を満たすようなやり方でツリー構造でウェブ・ページを配列することはできない。システム管理者は、ユーザの希望に基づいてそれを行う知識も時間もなく、さらに、ユーザの行動は時間が経つにつれて変化することもある。
【０００５】
したがって、ウェブ・コンテンツを再構築するための改良された方法およびデータ処理システムが求められている。
【課題を解決するための手段】
【０００６】
本発明は、ウェブ・コンテンツを再構築する方法であって、ウェブ・コンテンツは複数のウェブ・ページからなり、本方法は、ログ・ファイルを生成するステップを含む。ログ・ファイルは、ウェブ・ページの履歴を備え、ウェブ・ページの履歴は複数のウェブ・ページからユーザによって選択されたことのあるすべてのウェブ・ページを備える。本方法は、ユーザによって選択された各ウェブ・ページに対するアクセス頻度を判断するステップをさらに含む。アクセス頻度は、ウェブ・ページの履歴を使用することによって判断される。次に、ウェブ・ページのサブセットが決定される。ウェブ・ページのサブセットは、ウェブ・ページの最大数を含み、ウェブ・ページの最大数は予め規定されている。ウェブ・ページのサブセットは、最大アクセス頻度を有するウェブ・ページを含む。
【０００７】
よって、ログ・ファイルには、ユーザが訪れたウェブ・ページの履歴が収集される。各ウェブ・ページについて、アクセス頻度が判断される。各ウェブ・ページについて判断されたアクセス頻度を使用して、ユーザが最も頻繁に訪れるウェブ・ページが判断される。ウェブ・ページのサブセットに割り当てられるウェブ・ページには最大数がある。このウェブ・ページのサブセットは、ユーザが最も頻繁に訪れるまたはアクセスするウェブ・ページの所定の数を含む。
【０００８】
したがって、本発明に係る本方法は、ログ・ファイルを構文分析し分析することによって、ユーザの好みのウェブ・ページを判断し、当該ユーザの好みのウェブ・ページは、ウェブ・ページのサブセット内にあるウェブ・ページである。所定の数は、特定だが設定変更可能な数である。
【０００９】
本発明の一実施の形態によれば、複数のウェブ・ページは、ツリー構造に配列され、ツリー構造は、ウェブ開始ページをルートとし、ウェブ・ページのサブセットは、ユーザによってポートレットからアクセス可能であり、ポートレットは、ウェブ開始ページへリンクされている。よって、ウェブ・ページのサブセットは、ウェブ開始ページからたった１クリック分だけ離れたポートレットから直接ユーザによってアクセス可能になる。したがって、本発明に係る方法は、ユーザが好みのウェブ・ページに直接ポートレットから直接アクセスでき、ポートレットはユーザがウェブ開始ページから直接アクセスすることができるので、特に有利である。したがって、ユーザは、好みのウェブ・ページのうちの１つに到達するためにすべての他のウェブ・ページをクリックしていく必要がない。
【００１０】
本発明の一実施の形態によれば、複数のウェブ・ページは、ツリー構造に配列され、ツリー構造は、ウェブ開始ページをルートとし、ユーザ固有の特別ウェブ・ページがウェブ開始ページへリンクされており、ウェブ・ページのサブセットは、ユーザがユーザ固有の特別ウェブ・ページにアクセスする時点で決定され、ウェブ・ページのサブセット内の各ウェブ・ページには一時（ｔｒａｎｓｉｅｎｔ）ラベルが割り当てられ、各一時ラベルは、ユーザ固有の特別ウェブ・ページへリンクされ、ユーザは、対応する一時ラベルを介してウェブ・ページのサブセットにアクセスすることができる。ウェブ・ページのサブセットは、ユーザがユーザ固有の特別ウェブ・ページにアクセスする時点で決定される。これにより、ユーザによってアクセスされたことがある各ウェブ・ページについて判断されたアクセス頻度を使用することによって決定されるウェブ・ページのサブセットは、ユーザが最も頻繁に訪れるウェブ・ページを常に含むことが確実になる。このため、ユーザは、ウェブ・ページのサブセットに対して、ユーザ固有の特別ウェブ・ページから直接アクセスすることができる。したがって、ユーザは、好みのウェブ・ページのうちの１つをアクセスするためにすべての他のウェブ・ページをクリックしていく必要がない。
【００１１】
本発明の一実施の形態によれば、複数のウェブ・ページは、ツリー構造に配列され、ツリー構造は、ウェブ開始ページをルートとする。変換物がウェブ開始ページに添付される。ウェブ・ページのサブセットは、ユーザがウェブ開始ページにアクセスする時点で決定される。ウェブ・ページの動的なサブモデルが変換物を使用することによって決定され、それによって、ウェブ・ページのサブセットは、ユーザによるウェブ開始ページからのアクセスが可能である。
【００１２】
本発明の一実施の形態によれば、複数のウェブ・ページは、ポータル内に備えられる。本発明に係る本方法は、複数のウェブ・ページがポータルを介してアクセスされる場合に特に有利である。ポータルによって提供されるアプリケーションまたはサービスは、多くの様々なユーザによってアクセス可能である場合があるので、本発明に係る本方法は、ポータルの構成を動的に配列するやり方を提供し、それによって、各ユーザの固有の要求に応じるものである。
【００１３】
本発明の一実施の形態によれば、ポータルは、ログ作成要素と、構文解析要素と、視覚化要素とを備え、ログ作成要素は、ログ・ファイルの生成のために使用され、構文解析要素は、ログファイルを意味的に分析するために使用され、視覚化要素は、ポータル内のページのサブセットの視覚化のために使用される。
【００１４】
本発明の一実施の形態によれば、ログ作成要素は、チボリ（Ｔｉｖｏｌｉ）（ＩＢＭ社の登録商標）のサイト分析ツールであり、ログ・ファイルは、ＮＳＣＡを組み合わせたアクセス・ログ・ファイルである。
【００１５】
本発明の一実施の形態によれば、あるウェブ・ページのアクセス頻度は、ユーザがウェブ・ページにアクセスする回数またはユーザがウェブ・ページにおいて費やす時間量によって計測される。ユーザがあるウェブ・ページ上で費やす時間を考慮するアクセス頻度は、他のウェブ・ページにアクセスするためにユーザによって使用されるだけのウェブ・ページは通常あまり高いアクセス頻度を有しないという利点を有する。
【００１６】
本発明の一実施の形態によれば、ウェブ・ページについてアクセス頻度が判断されるのは、当該ウェブ・ページから他のウェブ・ページにアクセスされていない場合だけである。よって、他のページをブラウズするためにユーザが訪れただけのウェブ・ページについては、アクセス頻度は判断されない。これは、ユーザによって実際に使用されるウェブ・ページのみがウェブ・ページのサブセットに割り当てられるという利点を有する。
【００１７】
他の局面において、本発明は、本発明に係る方法を実施するための、コンピュータが実行可能な命令を備える、コンピュータ・プログラム製品に関する。
【００１８】
他の局面において、本発明は、複数のウェブ・ページからユーザ固有の好みのウェブ・ページを識別するためのデータ処理システムに関する。本データ処理システムは、ログ・ファイルを生成するための手段を備える。ログ・ファイルは、ウェブ・ページの履歴を備え、ウェブ・ページの履歴は、複数のウェブ・ページからユーザによって選択されたことのあるすべてのウェブ・ページを備える。本データ処理システムは、ユーザによって選択された各ウェブ・ページに対するアクセス頻度を判断するための手段をさらに備える。アクセス頻度は、ウェブ・ページの履歴を使用することによって判断される。本データ処理システムは、ウェブ・ページのサブセットを決定するための手段をさらに備える。ウェブ・ページのサブセットは、ウェブ・ページの最大数を含む。ウェブ・ページの最大数は、予め規定されており、ウェブ・ページのサブセットは、最大アクセス頻度を有するウェブ・ページを含む。
【００１９】
以下に、本発明の好ましい実施の形態を添付の図面を参照してより詳細に説明する。
【発明を実施するための最良の形態】
【００２０】
図１は、ウェブ・コンテンツ１０６を再構成するためのデータ処理システムのブロック図である。データ処理システムは、コンピュータ・システム１００を備え、コンピュータ・システム１００は、画面１０２と、マイクロプロセッサ１０８と、不揮発性メモリ装置１１０と、揮発性メモリ装置１１２と、キーボード１６０と、マウス１２６と、ネットワーク・カード１２８とを備える。コンピュータ・システム１００は、例えば、ネットワーク・カード１２８によってサーバ１５４に接続されるクライアント・コンピュータであってもよい。
【００２１】
ブラウザ１０４は、画面１０２上で視覚化される。ウェブ・コンテンツ１０６は、サーバ１５４からコンピュータ・システム１００へネットワーク・カード１２８によってロード可能であって、ブラウザ１０４内で視覚化可能である。ウェブ・コンテンツ１０６は、ツリー構造に配列される複数のウェブ・ページ１３０，…，１５０からなる。ツリー構造は、ウェブ開始ページ１３０をルートとする。ウェブ・ページは、他のウェブ・ページからウェブ・ページ上に配置されたリンクによってアクセス可能である。例えば、ウェブ開始ページ１３０は、ウェブ・ページ１３２へ到達可能なリンクと、ウェブ・ページ１４０にアクセス可能な他のリンクとを備える。ユーザは、一般的には、ウェブ・コンテンツ１０６に開始ページ１３０から入る。その後、ユーザは、マウス１２６を使用することによって、またはキーボード１６０を介して、ウェブ・ページ１３０，…，１５０をナビゲートできる。例えば、ウェブ・ページ１３８にアクセスしたい場合には、ユーザは、ウェブ・ページ１３０上に配置された適切なリンクによってウェブ・ページ１３２に入る。その後、ユーザは、ウェブ・ページ１３２からウェブ・ページ１３４へナビゲートして、そこからウェブ・ページ１３６にアクセスする。ウェブ・ページ１３６上で、ユーザは、ウェブ・ページ１３８にアクセス可能なリンクをクリックする。
【００２２】
マイクロプロセッサ１０８は、ウェブ・ページ１３０，…，１５０上で行われるユーザのアクションを監視するコンピュータ・プログラム製品１４４を実行する。コンピュータ・プログラム製品１４４は、ログ作成要素１１６を備える。ログ作成要素１１６は、不揮発性メモリ装置１１０または代わりに揮発性メモリ装置１１２に記憶されるログ・ファイル１２２を生成する。ログ・ファイル１２２は、ウェブ・ページの履歴１２４を備える。ウェブ・ページの履歴１２４には、ユーザが訪れたことのあるすべてのウェブ・ページが記録されている。ウェブ・ページの履歴１２４は、例えば、ユーザが訪れた１つのウェブ・ページが、ユーザＩＤと、ユーザが当該ウェブ・ページにアクセスした時間と、ユーザが当該ウェブ・ページ上で費やした時間量と共に各行に記録されているリストの形式であってもよい。ウェブ開始ページ１３０からのユーザのウェブ・ページ１３８へのアクセスは、例えば、ウェブ・ページの履歴１２４に以下のように記録されていてもよい。
ユーザＩＤ，ウェブ・ページ１３０，Ｔ＝１１：００：００，ＲＰ＝１０ｓ；
ユーザＩＤ，ウェブ・ページ１３２，Ｔ＝１１：００：１０，ＲＰ＝１ｓ；
ユーザＩＤ，ウェブ・ページ１３４，Ｔ＝１１：００：１５，ＲＰ＝５ｓ；
ユーザＩＤ，ウェブ・ページ１３６，Ｔ＝１１：００：２０，ＲＰ＝５ｓ；
ユーザＩＤ，ウェブ・ページ１３８，Ｔ＝１１：００：２５，ＲＰ＝２００ｓ；
【００２３】
リストの第１列目において、ユーザのＩＤが記録され、第２列目において、ウェブ・ページが記録される。（ウェブ・ページ１３０からウェブ・ページ１３８にアクセスするためには、ユーザはウェブ・ページ１３２，１３４，および１４６をクリックしていかなければならない）。第３列目において、ユーザが当該ウェブ・ページにアクセスした時間が記録され、最終列目において、当該ページ上でのユーザの停留期間が記憶される。
【００２４】
コンピュータ・プログラム製品１１４は、構文解析要素１１８をさらに備える。構文解析要素１１８は、ユーザによってアクセスされたことのある各ウェブ・ページ１３０，…，１４４について、不揮発性メモリ装置１１０に記憶されるアクセス頻度１５６を判断する。特定のウェブ・ページのアクセス頻度は、例えば、ユーザが当該特定のウェブ・ページにアクセスした回数によって判断される。アクセス頻度を判断するために、構文解析要素１１８は、ログ・ファイル１２２をスキャンして、当該特定のウェブ・ページのエントリ数を判断する。よって、上記のリストをスキャンすることによって、ウェブ・ページ１３０，１３２，１３４，１３６，および１３８のアクセス頻度は１回ということになる。なぜなら、各ウェブ・ページは１回しかリストに掲載されていないからである。
【００２５】
また、特定のウェブ・ページのアクセス頻度は、例えば１秒に正規化された特定のウェブ・ページでのユーザの費やした時間によっても判断できる。よって、上記のリストから、ウェブ・ページ１３８のアクセス頻度は２００と判断され、ウェブ・ページ１３２のアクセス頻度は１である。
【００２６】
これにより、ページ１３８のアクセス頻度の方が、ページ１３８にアクセスするためにユーザが訪れただけであって、よってユーザにとってはあまり関心のないようなページ１３２のアクセス頻度よりも確実に高くなる。
【００２７】
代わりに、特定のウェブ・ページのアクセス頻度は、当該特定のウェブ・ページによって他のウェブ・ページにアクセスされていない場合にのみ判断される。よって、アクセス頻度は、当該特定のウェブ・ページにアクセスするためにウェブ開始ページからクリックしていかなければならないウェブ・ページの数によって測定される。例えば、アクセス頻度は、上記のリストに記録されたウェブ・ページ１３８についてのみ判断されることになろう。他のすべてのウェブ・ページについては、アクセス頻度は判断されないことになる。アクセス頻度は、ウェブ・ページ１３８に到達するためにアクセスされたウェブ・ページの数によって測定されることになる。よって、ウェブ・ページ１３８のアクセス頻度は３となる。なぜならば、ウェブ・ページ１３２、ウェブ・ページ１３４、およびウェブ・ページ１３６は、ウェブ・ページ１３８に到達するためにアクセスされたからである。
【００２８】
ユーザがウェブ・ページ１３８および１４４のみを使用しており、ウェブ・ページ１３８または１４４にアクセスするためだけに他のページをすべてクリックしていく場合には、２つのウェブ・ページ１３８および１４４は、最も高いアクセス頻度のウェブ・ページとなろう。ウェブ・ページのサブセット１６２は、最も高いアクセス頻度を有する所定の最大数１５６のウェブ・ページを保持する。最大数１５６が２に等しいと仮定する。その場合、ウェブ・ページ１３８および１４４は、ウェブ・ページのサブセット１６２に割り当てられることになる。数１５６は、例えば、システム管理者またはユーザ自身によって特定することができる。
【００２９】
本発明の一実施の形態において、ウェブ開始ページ１３０に直接リンクされたポートレット１６４が作成される。ウェブ・ページのサブセット１６２は、ユーザがウェブ・ページのサブセット１６２、上記の例においてはウェブ・ページ１３８および１４４に対して、ポートレット１６４を介して開始ページ１３０から直接アクセスできるようにポートレットにリンクされている。よって、ユーザは、すべての他のウェブ・ページをクリックしていく必要なく、ウェブ・ページ１３８および１４４にアクセスすることができる。
【００３０】
本発明の他の実施の形態において、ユーザ固有のウェブ・ページがウェブ開始ページにリンクされている。ウェブ・ページのサブセット１６２は、ユーザがユーザ固有の特別ウェブ・ページにアクセスした時点で決定される。一時ラベルが、ウェブ・ページのサブセットに含まれる各ウェブ・ページに割り当てられる。一時ラベルは、ユーザ固有のウェブ・ページにリンクされている。ユーザは、ウェブ・ページのサブセットに含まれるウェブ・ページに対し、対応する一時ラベルを介してアクセスすることができる。これについては、以下により詳細に説明する。
【００３１】
図２は、ウェブ・コンテンツを再構成するための基本ステップを示すフロー図を示す。ステップ２００において、ログ・ファイルが生成される。ログ・ファイルは、ウェブ・ページの履歴を備え、ウェブ・ページの履歴は、ウェブ・コンテンツに含まれる複数のウェブ・ページからユーザによって選択されたことのあるすべてのウェブ・ページを備える。
【００３２】
ステップ２０２において、ユーザによって選択されたことのある各ウェブ・ページについて、アクセス頻度が判断される。アクセス頻度は、ウェブ・ページの履歴を使用して判断される。ステップ２０４において、ウェブ・ページのサブセットが決定される。ウェブ・ページのサブセットは、予め定義された最大数のウェブ・ページを含む。これらのウェブ・ページは、ユーザによって最も頻繁にアクセスされるウェブ・ページである。よって、ウェブ・ページのサブセットは、ユーザの好みのウェブ・ページを含む。
【００３３】
図３は、ウェブ・コンテンツを再構成するためのステップを示すフロー図を示す。ステップ３００において、複数のウェブ・ページからユーザによって選択されたことのあるウェブ・ページの履歴を備えるログ・ファイルが生成される。ステップ３０２において、ユーザによって選択されたことのなる各ウェブ・ページのアクセス頻度が判断される。各ウェブ・ページについて利用可能なアクセス頻度を使用することによって、ウェブ・ページのサブセットがステップ３０４において決定される。ウェブ・ページのサブセットは、最大数のウェブ・ページを備える。これらのウェブ・ページは、ユーザによって最も頻繁にアクセスされたウェブ・ページである。よって、ウェブ・ページのサブセットは、ユーザの好みのウェブ・ページであるウェブ・ページを備える。ステップ３０６において、ウェブ・ページのサブセットは、ポートレットにリンクされる。ポートレットは、ユーザがポートレットを使用して自身の好みのウェブ・ページに直接アクセスできるように、ウェブ開始ページに直接リンクされている。
【００３４】
図４は、ウェブ・コンテンツを再構成するためのステップを示すフロー図を示す。ステップ４００において、ユーザによってアクセスされたことのあるウェブ・ページの履歴を含むログ・ファイルが作成される。ステップ４０２において、ユーザによってアクセスされたことのある各ウェブ・ページについて、アクセス頻度が判断される。ステップ４０４において、ユーザ固有の特別ページにユーザがアクセスしたときに、ウェブ・ページのサブセットが決定される。ステップ４０６において、ウェブ・ページのサブセットの各ウェブ・ページに一時ラベルが割り当てられ、ステップ４０８において、一時ラベルは、ユーザ固有の特別ウェブ・ページにリンクされる。
【００３５】
図５は、ツリー構造に配列された複数のウェブ・ページからなるウェブ・コンテンツのブロック図５００を示す。ツリー構造は、開始ページ５０１をルートとする。ユーザがウェブ・ページ５０８，５１０，および５２０を最も頻繁に使用する場合を考える。ウェブ・ページ５０８に到達するためには、ユーザはウェブ・ページ５０２，５０４，５０６をナビゲートしていかなくてはならず、その後にようやく５０８に到達する。代わりに、ユーザは、ページ５０６からページ５１０へクリックすることもでき、これによって、好みのウェブ・ページのうちの別のページに到達する。よって、ユーザは、５０８またはウェブ・ページ５１０に到達するためには、常に４クリック必要とする。ユーザがウェブ・ページ５２０を使用したい場合には、開始ページ５０１からページ５１２へ、その後にページ５１４、ページ５１６、ページ５１８とブラウズしなければならず、ようやくウェブ・ページ５２０に到達する。よって、ユーザは、ウェブ・ページ５２０へ到達するためには、４つの別のページをブラウズしなければならない。ウェブ・ページ５０８，５１０，および５２０を頻繁に使用する場合には、これらの３つのページのアクセス頻度は高いことになる。ウェブ・ページのサブセットに含まれるページの最大数が３より大きければ、これら３つのページは、ユーザの好みのページとして識別されることになろう。これら３つのページは、最大アクセス頻度を有するページとなろう。よって、ウェブ・ページのサブセットは、ウェブ・ページ５０８，５１０，および５２０からなることになる。
【００３６】
ユーザ固有の特別ウェブ・ページ５３０は、開始ページ５０１に直接リンクされている。ウェブ・ページ５０８，５１０，および５２０がユーザの好みのウェブ・ページであるので、一時ラベルがこれらウェブ・ページのそれぞれに割り当てられる。一時ラベル５３２は、ウェブ・ページ５０８に割り当てられる。一時ラベル５３４は、ウェブ・ページ５１０に割り当てられ、一時ラベル５３６は、ウェブ・ページ５２０に割り当てられる。ユーザがウェブ開始ページにアクセスする度に、ウェブ・ページのサブセットを決定する処理が開始される。よって、一時ラベルは、ユーザがウェブ・ページ５３０にアクセスしたときに動的に決定され、ユーザの行動に合わせている。ユーザがウェブ・ページ５２２に対してより頻繁にアクセスし始め、ウェブ・ページ５０８には以前ほど頻繁にアクセスしない場合、ウェブ・ページ５２２のアクセス頻度がウェブ・ページ５０８のアクセス頻度より大きくなると、一時ラベル５３２がウェブ・ページ５２２に割り当てられることになる。ユーザは、自身が最も頻繁に使用するページに、ユーザ固有の特別ウェブ・ページ５３０を介してアクセスすることができる。ユーザは、例えば、ウェブ・ページ５２０をアクセスするために、もはやウェブ・ページ５１２，５１４，５１６，および５１８をブラウズする必要はない。
【００３７】
代わりに、特別ウェブ・ページの概念またはポートレットをなくして、ウェブ・コンテンツ５０１，…，５２８を再構成する変換をウェブ開始ページ５０１に直接添付することもできよう。本発明に係る同じ分析方法を適用することによって、例えばウェブ・ページ５０８，５１０，および５２０などといったユーザの好みのウェブ・ページを識別することができる。その後、ユーザの好みのウェブ・ページ５０８，５１０，および５２０は、ウェブ開始ページ５０１から直接アクセス可能である。よって、変換が割り当てられたことのあるウェブ開始ページ５０１から下のすべてのウェブ・ページは、実行中に構築された動的なサブモデルの一部となるような動的なウェブ・ページとなり、ユーザの行動と一致する最も合理的な構成をまさに表すこととなる。ここで、動的なラベルは、ユーザの好みのウェブ・ページにリンクされるわけではない。これらは、ラベルのみの代わりに実際のウェブ・ページになっており、参照先のウェブ・ページのコンテンツを含むことになろう。よって、ウェブ開始ページ５０１上をクリックすると、ユーザがアクセスしたいコンテンツを直接表示することになろう。
【００３８】
図６は、航空交通の管理のために使用されるポータルのウェブ開始ページ６００を示す。ポータルは、ＩＢＭ社からの商用プログラムであるＷｅｂＳｐｈｅｒｅ（登録商標）  Ｐｏｒｔａｌによって実施される。ユーザは、ウェブ開始ページ６００でポータルにアクセスする。ウェブ開始ページ６００は、ツール・バー６０４に含まれる「ようこそ」レジスタ６０２が異なる色のコーディングを使用してツール・バー６０４とは区別されていることを特徴とする。
【００３９】
図７は、ユーザがウェブ・ページのサブセットにアクセスできるポータルのウェブ・ページ７００を示す。ユーザは、同様にツール・バー７０８に含まれる「私のクイックリンク」レジスタ７０４上をクリックすることによって、ウェブ・ページのサブセットにアクセス可能なポータルのウェブ・ページ７００にアクセスすることができる。「私のクイックリンク」レジスタ７０４を選択すると、このレジスタは、異なる色によってツール・バー７０８とは区別され、一方、「ようこそ」レジスタ７０２は、ツール・バー７０８の色になる。ユーザは、ウェブ・ページ７００から「クイックリンク」ポートレット７０６にアクセスすることができる。
【００４０】
図８は、ユーザが好みのウェブ・ページにアクセスすることができるポータルのウェブ・ページ８００を示す。ユーザは、「クイックリンク」ポートレット８０２をクリックすることによってこれを選択し、これに応じて、ウェブ・ページのサブセット８０４を含むリストが開く。ウェブ・ページのサブセット８０４は、以前のセッション中に最も頻繁にユーザが訪れたことのあるウェブ・ページへのリンクを備える。ウェブ・ページのサブセット８０４は、ユーザの好みのウェブ・ページを含む。ユーザが、例えばシュツットガルト空港の管理者である場合には、シュツットガルト空港を管理することができるウェブ・ページを頻繁に選択してきたであろう。よって、ウェブ・ページのサブセット８０４は、「シュツットガルト空港」８０６へのリンクを含む。「シュツットガルト空港」リンク８０６上をクリックすることによって、ユーザは、ウェブ・ページにアクセスしてシュツットガルト空港を管理することができる。
【００４１】
図９は、ユーザがウェブ・ページのサブセットにアクセスすることができるポータルのウェブ・ページ９００を示す。ユーザは、「私のクイックリンク」レジスタ９０４上をクリックすることによって、ウェブ・ページのサブセットにアクセス可能なポータルのウェブ・ページ９００にアクセスすることができる。ユーザが「私のクイックリンク」レジスタ９０４を選ぶと、このレジスタは、異なる色によってツール・バー９１０とは区別され、一方、「ようこそ」レジスタ９０２は、ツール・バー９００の色になる。ユーザは、ウェブ・ページ９００から、「クイックリンク」ポートレット９０６のほか、ユーザ固有の特別ウェブ・ページに対応する「クイックリンク変換」ウェブ・ページ９０８にアクセスすることができる。
【００４２】
図１０は、ユーザが好みのウェブ・ページにアクセスすることができるポータルのウェブ・ページ１０００を示す。ユーザが「クイックリンク」変換ウェブ・ページ１００２を選ぶと、ユーザの好みのウェブ・ページを含むウェブ・ページのサブセット１００４が決定される。ウェブ・ページのサブセットの各ウェブ・ページに対して一時ラベルが割り当てられ、各一時ラベルは、「クイックリンク」変換ウェブ・ページ１００２にリンクされる。ユーザが、例えばシュツットガルト空港の管理者である場合には、シュツットガルト空港を管理することができるウェブ・ページを頻繁に選択してきたであろう。よって、ウェブ・ページのサブセット１００４は、「シュツットガルト空港」１００６に対する一時ラベルを含み、それによって、ユーザは、ウェブ・ページにアクセスしてシュツットガルト空港を管理することができる。
【図面の簡単な説明】
【００４３】
【図１】ウェブ・コンテンツを再構成するためのデータ処理システムのブロック図を示す。
【図２】ウェブ・コンテンツを再構成するための基本ステップを示すフロー図を示す。
【図３】ウェブ・コンテンツを再構成するためのステップを示すフロー図を示す。
【図４】ウェブ・コンテンツを再構成するためのステップを示すフロー図を示す。
【図５】ツリー構造に配列された複数のウェブ・ページからなるウェブ・コンテンツのブロック図を示す。
【図６】航空交通の管理のために使用されるポータルのウェブ開始ページを示す。
【図７】ユーザがウェブ・ページのサブセットをアクセスできるポータルのウェブ・ページを示す。
【図８】ユーザが好みのウェブ・ページにアクセスすることができるポータルのウェブ・ページを示す。
【図９】ユーザがウェブ・ページのサブセットにアクセスすることができるポータルのウェブ・ページを示す。
【図１０】ユーザが好みのウェブ・ページにアクセスすることができるポータルのウェブ・ページを示す。
【符号の説明】
【００４４】
１００  コンピュータ・システム
１０２  画面
１０４  ブラウザ
１０６  ウェブ・コンテンツ
１０８  マイクロプロセッサ
１１０  不揮発性メモリ装置
１１２  揮発性メモリ装置
１１４  コンピュータ・プログラム製品
１１６  ログ作成要素
１１８  構文分析要素
１２０  視覚化要素
１２２  ログ・ファイル
１２４  ウェブ・ページの履歴
１２６  マウス
１２８  ネットワーク・カード
１３０  ウェブ開始ページ
１３２  ウェブ・ページ
１３４  ウェブ・ページ
１３６  ウェブ・ページ
１３８  ウェブ・ページ
１４０  ウェブ・ページ
１４２  ウェブ・ページ
１４４  ウェブ・ページ
１４６  ウェブ・ページ
１４８  ウェブ・ページ
１５０  ウェブ・ページ
１５２  ウェブ・ページ
１５４  サーバ
１５６  アクセス頻度
１５８  最大数
１６０  キーボード
１６２  ウェブ・ページのサブセット
１６４  ポートレット
５００  ブロック図
５０１  ウェブ開始ページ
５０２  ウェブ・ページ
５０４  ウェブ・ページ
５０６  ウェブ・ページ
５０８  ウェブ・ページ
５１０  ウェブ・ページ
５１２  ウェブ・ページ
５１４  ウェブ・ページ
５１６  ウェブ・ページ
５１８  ウェブ・ページ
５２０  ウェブ・ページ
５２２  ウェブ・ページ
５２４  ウェブ・ページ
５２６  ウェブ・ページ
５２８  ウェブ・ページ
５３０  ユーザ固有の特別ウェブ・ページ
５３２  一時ラベル
５３４  一時ラベル
５３６  一時ラベル
６００  ウェブ開始ページ
６０２  「ようこそ」レジスタ
６０４  ツール・バー
７００  ウェブ・ページ
７０２  「ようこそ」レジスタ
７０４  「私のクイックリンク」レジスタ
７０６  「クイックリンク」ポートレット
７０８  ツール・バー
８００  ウェブ・ページ
８０２  「クイックリンク」ポートレット
８０４  ウェブ・ページのサブセット
８０６  シュツットガルト空港
９００  ウェブ・ページ
９０２  「ようこそ」レジスタ
９０４  「私のクイックリンク」レジスタ
９０６  「クイック・リンク」ポートレット
９０８  「クイック・リンク変換」
９１０  ツール・バー
１０００  ウェブ・ページ
１００２  「クイック・リンク変換」
１００４  ウェブ・ページのサブセット
１００６  シュツットガルト空港
【図１】
2009521027.tif 000003
【図２】
2009521027.tif 000004
【図３】
2009521027.tif 000005
【図４】
2009521027.tif 000006
【図５】
2009521027.tif 000007
【図６】
2009521027.tif 000008
【図７】
2009521027.tif 000009
【図８】
2009521027.tif 000010
【図９】
2009521027.tif 000011
【図１０】
2009521027.tif 000012
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
ウェブ・コンテンツ（１０４）を再構築する方法であって、前記ウェブ・コンテンツ（１０４）は複数のウェブ・ページ（１３０，…，１５０）からなり、前記方法は、
ログ・ファイル（１２２）を生成するステップであって、前記ログ・ファイル（１２２）はウェブ・ページの履歴（１２４）を備え、前記ウェブ・ページの履歴（１２４）は前記複数のウェブ・ページ（１３０，…，１５０）からユーザによって選択されたことのあるすべてのウェブ・ページ（１３０，…，１４４）を備えるステップと、
前記ユーザによって選択された各ウェブ・ページ（１３０，…，１４４）に対するアクセス頻度（１５６）を判断するステップであって、前記アクセス頻度（１５６）はウェブ・ページの履歴（１２４）を使用することによって判断されるステップと、
ウェブ・ページのサブセット（１６２）を決定するステップであって、ウェブ・ページの前記サブセット（１６２）はウェブ・ページの最大数（１５８）を含み、前記ウェブ・ページの最大数（１５８）は予め規定されており、ウェブ・ページの前記サブセット（１６２）は前記最大アクセス頻度（１５６）を有する前記ウェブ・ページを含むステップと、を含む、方法。
【請求項２】
前記複数のウェブ・ページ（１３０，…，１５０）はツリー構造に配列され、前記ツリー構造はウェブ開始ページ（１３０）をルートとし、ウェブ・ページの前記サブセット（１６２）は前記ユーザによってポートレット（１６４）からアクセス可能であり、前記ポートレット（１６４）は前記ウェブ開始ページ（１３０）へリンクされている、請求項１に記載の方法。
【請求項３】
前記複数のウェブ・ページ（１３０，…，１５０）はツリー構造に配列され、前記ツリー構造はウェブ開始ページ（１３０）をルートとし、ユーザ固有の特別ウェブ・ページが前記ウェブ開始ページ（１３０）へリンクされており、ウェブ・ページの前記サブセット（１６２）は前記ユーザが前記ユーザ固有の特別ウェブ・ページにアクセスする時点で決定され、ウェブ・ページの前記サブセット（１６２）内の各ウェブ・ページには一時ラベルが割り当てられ、各一時ラベルは前記ユーザ固有の特別ウェブ・ページへリンクされ、前記ユーザは対応する一時ラベルを介してウェブ・ページの前記サブセット（１６２）にアクセスすることができる、請求項１に記載の方法。
【請求項４】
前記複数のウェブ・ページ（１３０，…，１５０）はツリー構造に配列され、前記ツリー構造はウェブ開始ページ（１３０）をルートとし、変換物がウェブ開始ページ（１３０）に添付され、ウェブ・ページの前記サブセット（１６２）は前記ユーザが前記ウェブ開始ページ（１３０）にアクセスする時点で決定され、ウェブ・ページの動的なサブモデルが前記変換物によって決定され、それによって、ウェブ・ページの前記サブセット（１６２）は、前記ユーザにとって前記ウェブ開始ページ（１３０）からアクセス可能である、請求項１に記載の方法。
【請求項５】
前記複数のウェブ・ページ（１３０，…，１５０）はポータル内に含まれる、請求項１から４のいずれか１項に記載の方法。
【請求項６】
前記ポータルはログ作成要素と、構文解析要素と、視覚化要素とを備え、前記ログ作成要素は前記ログ・ファイルの生成のために使用され、前記構文解析要素はウェブ・ページの前記サブセットの選択のために使用され、前記視覚化要素は前記ポータル内のページの前記サブセットの視覚化のために使用される、請求項５に記載の方法。
【請求項７】
前記ログ作成要素はチボリ（Ｔｉｖｏｌｉ）（ＩＢＭ社の登録商標）のサイト分析ツールであり、前記ログ・ファイルはＮＳＣＡを組み合わせたアクセス・ログ・ファイルである、請求項６に記載の方法。
【請求項８】
あるウェブ・ページの前記アクセス頻度は、前記ユーザが前記ウェブ・ページにアクセスする回数、または前記ユーザが前記ウェブ・ページにおいて費やす時間量によって計測される、請求項１から７のいずれか１項に記載の方法。
【請求項９】
ウェブ・ページについて前記アクセス頻度が判断されるのは、前記ユーザによって前記ウェブ・ページから他のウェブ・ページにアクセスされていない場合だけである、請求項１から８のいずれか１項に記載の方法。
【請求項１０】
請求項１乃至９のいずれか１項に記載の方法の各ステップをコンピュータに実施させるための、コンピュータ・プログラム製品。
【請求項１１】
ウェブ・コンテンツ（１０４）を再構築するためのデータ処理システムであって、前記ウェブ・コンテンツ（１０４）は複数のウェブ・ページ（１３０，…，１５０）からなり、前記データ処理システムは、
ログ・ファイル（１２２）を生成するための手段であって、前記ログ・ファイル（１２２）はウェブ・ページの履歴（１２４）を備え、前記ウェブ・ページの履歴（１２４）は前記複数のウェブ・ページ（１３０，…，１５０）からユーザによって選択されたことのあるすべてのウェブ・ページ（１３０，…，１４４）を備える手段と、
前記ユーザによって選択された各ウェブ・ページ（１３０，…，１４４）に対するアクセス頻度（１５６）を判断するための手段であって、前記アクセス頻度（１５６）はウェブ・ページの履歴（１２４）を使用することによって判断される手段と、
ウェブ・ページのサブセット（１６２）を決定するための手段であって、ウェブ・ページの前記サブセット（１６２）はウェブ・ページの最大数（１５８）を含み、前記ウェブ・ページの最大数（１５８）は予め規定されており、ウェブ・ページの前記サブセット（１６２）は前記最大アクセス頻度（１５６）を有する前記ウェブ・ページを含む手段と、
を備える、データ処理システム。
【請求項１２】
前記複数のウェブ・ページはツリー構造に配列され、前記ツリー構造はウェブ開始ページをルートとし、前記データ処理システムは前記ユーザがウェブ・ページの前記サブセットをポートレットからアクセスする手段を提供し、前記ポートレットは前記ウェブ開始ページへリンクされている、請求項１１に記載のデータ処理システム。
【請求項１３】
前記複数のウェブ・ページはツリー構造に配列され、前記ツリー構造はウェブ開始ページをルートとし、ユーザ固有の特別ウェブ・ページが前記ウェブ開始ページへリンクされており、前記データ処理システムは、ウェブ・ページの前記サブセットを前記ユーザが前記ユーザ固有の特別ウェブ・ページにアクセスする時点で決定するための手段を提供し、前記データ処理方法は、一時ラベルをウェブ・ページの前記サブセット内の各ウェブ・ページに割り当てるための手段を備え、各一時ラベルは前記ユーザ固有の特別ウェブ・ページへリンクされ、前記ユーザは対応する一時ラベルを介して、ウェブ・ページの前記サブセットにアクセス可能である、請求項１１に記載のデータ処理システム。
【請求項１４】
前記複数のウェブ・ページ（１３０，…，１５０）はツリー構造に配列され、前記ツリー構造はウェブ開始ページ（１３０）をルートとし、前記データ処理システムは変換物を前記ウェブ開始ページ（１３０）に添付する手段と、ウェブ・ページの前記サブセット（１６２）を前記ユーザが前記ウェブ開始ページ（１３０）にアクセスする時点で決定する手段と、ウェブ・ページの動的なサブモデルを前記変換物によって決定する手段とを備え、それによって、ウェブ・ページの前記サブセット（１６２）は前記ユーザにより前記ウェブ開始ページ（１３０）からアクセス可能である、請求項１１に記載のデータ処理システム。
【請求項１５】
前記複数のウェブ・ページはポータル内に含まれる、請求項１１から１４のいずれか１項に記載のデータ処理システム。
【請求項１６】
前記ポータルはログ作成要素と、構文解析要素と、視覚化要素とを備え、前記ログ作成要素は前記ログ・ファイルの生成のために使用され、前記構文解析要素はウェブ・ページの前記サブセットの選択のために使用され、前記視覚化要素は前記ポータル内のページの前記サブセットの視覚化のために使用される、請求項１５に記載のデータ処理システム。
【請求項１７】
前記ログ作成要素はチボリのサイト分析ツールであり、前記ログ・ファイルはＮＳＣＡを組み合わせたアクセス・ログ・ファイルである、請求項１６に記載のデータ処理システム。
【請求項１８】
あるウェブ・ページの前記アクセス頻度は、前記ユーザが前記ウェブ・ページにアクセスする回数または前記ユーザが前記ウェブ・ページにおいて費やす時間量によって計測される、請求項１１から１７のいずれか１項に記載のデータ処理システム。
【請求項１９】
ウェブ・ページについて前記アクセス頻度が判断されるのは、前記ユーザによって前記ウェブ・ページから他のウェブ・ページにアクセスされていない場合だけである、請求項１１から１８のいずれか１項に記載のデータ処理システム。
【国際調査報告】
2009521027.tif 000013
2009521027.tif 000014
2009521027.tif 000015